(57)【要約】【課題】複数のプリンタを簡易な方法で各種設定項目の設定値を設定することができ、変更された設定値を元に戻したり、新たなプリンタに置き換える時に以前と同じ設定にする場合なども容易に行うことができるプリンタ設定値の設定方法および設定プログラムを提供する。【解決手段】ホストコンピュータ１０と少なくとも１台のプリンタとが通信可能に接続されたシステムにおいて、ホストコンピュータ１０が選択したプリンタＡから、当該プリンタの複数の設定項目のプリンタ設定値を取得するステップと、取得したプリンタ設定値を設定値ファイルとしてホストコンピュータ１０の記憶領域に保存するステップと、設定対象とするプリンタＢを選択するステップと、設定値ファイルに基づいて、設定対象とするプリンタＢのプリンタ設定値を設定するための設定コマンドを送信するステップと、を含むことを特徴とする。【選択図】図２
2010117843.tif 000002
【特許請求の範囲】
【請求項１】
ホストコンピュータと少なくとも１台のプリンタとが通信可能に接続されており、
前記ホストコンピュータが選択したプリンタから、当該プリンタの設定値を取得するステップと、
取得した前記設定値を設定値ファイルとして前記ホストコンピュータの記憶領域に保存するステップと、
設定対象とするプリンタを選択するステップと、
前記設定値ファイルに基づいて、前記設定対象とするプリンタに前記設定値を設定するための設定コマンドを送信するステップと、
を含むことを特徴とするプリンタの設定値の設定方法。
【請求項２】
前記設定値ファイルは少なくともファイル名と日時情報のいずれかを伴って保存されることを特徴とする請求項１に記載のプリンタの設定値の設定方法。
【請求項３】
前記設定対象として複数のプリンタを選択し、当該選択された複数のプリンタの前記設定値を設定することを特徴とする請求項１又は２に記載のプリンタの設定値の設定方法。
【請求項４】
前記複数のプリンタをグループ分けして、設定対象の選択をグループ毎に行うことを特徴とする請求項１〜３のいずれかに記載のプリンタの設定値の設定方法。
【請求項５】
前記設定値は、前記プリンタの印刷機構に係る設定値であることを特徴とする請求項１〜４のいずれかに記載のプリンタの設定値の設定方法。
【請求項６】
前記設定値は、少なくとも用紙位置検出設定、紙送り量調整の設定、用紙頭出し動作設定、通知設定、パネルボタンの有効／無効の設定およびドット抜け発生時の設定のいずれかを含むことを特徴とする請求項１〜５のいずれかに記載のプリンタの設定値の設定方法。
【請求項７】
請求項１〜６に記載のプリンタの設定値の設定方法の各ステップを、前記ホストコンピュータに実行させることを特徴とするプリンタの設定値の制御プログラム。
【発明の詳細な説明】
【技術分野】
【０００１】
本発明は、ホストコンピュータと少なくとも１台のプリンタとが通信可能に接続され、プリンタの各設定項目の設定値を設定するプリンタ設定値の設定方法および設定プログラムである。
【背景技術】
【０００２】
プリンタの各種設定項目のうち、工場出荷時に設定された初期設定値をユーザーの使用環境に応じて変更可能な設定項目がある。このように、変更可能な設定項目は、プリンタ本体のスイッチやプリンタに接続されたホストコンピュータから、ユーザーの仕様環境に応じて、設定値の変更を行うことができる。
【０００３】
【特許文献１】特開２００４−４２６２３号公報
【発明の開示】
【発明が解決しようとする課題】
【０００４】
ところが、複数のプリンタを同一環境で使用するなどの理由で、各種設定項目の設定値を複数のプリンタで同一にしたい場合がある。この場合、各種設定項目の設定値をプリンタ本体のスイッチやプリンタに接続されたホストコンピュータから各プリンタ１台毎にそれぞれ設定するのは手間がかるという問題がある。
【０００５】
また、プリンタの修理や交換などのメンテナンスの実施後、動作回数等が記憶されているメンテナンスカウンタを戻入時の状態に戻してユーザーに返却するときに、メンテナンスのために変更された設定値をユーザーの使用時の状態に戻す場合や、使用しているプリンタを新たなプリンタに置き換える時に以前と同じ設定値にする場合などは、一度行った設定を再びやり直す必要がある。
【０００６】
一方、特許文献１には、トナーカートリッジが直前に装着されていたプリンタと自己のプリンタとが一致しないとき、そのトナーカートリッジの記憶素子に記憶されているプリンタの設定情報を取得して自己のプリンタに採用するカラーレーザプリンタが開示されている。しかしながら、複数のプリンタを同一設定にすることはできなく、前述の問題の解決にはならない。
【０００７】
本発明の目的は上記課題を解消することに係り、複数のプリンタを簡易な方法で各種設定項目の設定値を設定することができ、変更された設定値を元に戻したり、新たなプリンタに置き換える時に以前と同じ設定にする場合なども容易に行うことができるプリンタ設定値の設定方法および設定プログラムを提供することを目的とする。
【課題を解決するための手段】
【０００８】
上記目的を達成するために、本発明に係るプリンタの設定値の制御方法は、ホストコンピュータと少なくとも１台のプリンタとが通信可能に接続されており、
前記ホストコンピュータが選択したプリンタから、当該プリンタの設定値を取得するステップと、
取得した前記設定値を設定値ファイルとして前記ホストコンピュータの記憶領域に保存するステップと、
設定対象とするプリンタを選択するステップと、
前記設定値ファイルに基づいて、前記設定対象とするプリンタに前記設定値を設定するための設定コマンドを送信するステップと、
を含むことを特徴とする。
上記方法によれば、設定対象として選択されたプリンタに簡易な方法でプリンタの各種設定項目の設定値を一括設定することができ、変更された設定値を元に戻したり、新たなプリンタに置き換える時に以前と同じ設定にする場合なども容易に行うことができる。
また好ましくは、前記設定値ファイルは少なくともファイル名と日時情報のいずれかを伴って保存されることを特徴とする。
上記方法によれば、設定値ファイルのファイル名や保存日時情報をもとに、設定する設定値ファイルを選んで、プリンタの設定値の一括設定を行うことができる。
また好ましくは、前記設定対象として複数のプリンタを選択し、当該選択された複数のプリンタの前記設定値を設定することを特徴とする。
上記方法によれば、選択した複数のプリンタに対して、一括して設定コマンドを送信することができるので、複数のプリンタの各種設定項目の設定値を一括して設定することができる。
また好ましくは、前記複数のプリンタをグループ分けして、設定対象の選択をグループ毎に行うことを特徴とする。
上記方法によれば、設定コマンドを選択されたグループのプリンタへ送信することができるので、グループ単位で各種設定項目の設定値を一括設定することができる。
また好ましくは、前記設定値は、前記プリンタの印刷機構の制御に係る設定値であることを特徴とする。
上記方法によれば、プリンタの印刷機構に係る設定項目に対して、設定値を一括設定することができる。
また好ましくは、前記設定値は、前記ホストコンピュータの設定ツール上で変更が可能である設定値であり、少なくとも用紙位置検出設定、紙送り量調整の設定、用紙頭出し動作設定、通知設定、パネルボタンの有効／無効の設定およびドット抜け発生時の設定のいずれかを含むことを特徴とする。
上記方法によれば、ホストコンピュータの設定ツール上でユーザーが変更した設定値も一括設定することができる。
【０００９】
上記目的を達成するために、本発明に係るプリンタの設定値の制御プログラムは、上記プリンタの設定値の設定方法の各ステップを、ホストコンピュータに実行させることを特徴とする。
上記制御プログラムをホストコンピュータに実行させることにより、複数のプリンタを簡易な方法で各種設定項目の設定値を一括設定することができ、変更された設定値を元に戻したり、新たなプリンタに置き換える時に以前と同じ設定にする場合なども容易に一括設定することができる。
【発明を実施するための最良の形態】
【００１０】
以下、図面を参照しながら、本発明の実施形態に係るプリンタの設定値の設定方法について詳細に説明する。
【００１１】
図１は、本発明の実施形態に係るプリンタ設定値の一括設定方法を説明するためのシステムの構成を示す概略図である。
【００１２】
本発明の実施形態に係るプリンタの設定値の設定方法を使用するシステムは、ＬＡＮなどのネットワークやＵＳＢ等の通信線を介して互いに接続された、ホストコンピュータ１０と、プリンタ２０（プリンタＡ、プリンタＢ、・・・・）とからなり、ホストコンピュータ１０は、モニタディスプレイ等である表示部１１を有し、プリンタ２０（プリンタＡ、プリンタＢ、・・・・）は、Ｉ／Ｆ部２１（ＬＡＮ、ＵＳＢ等のインタフェース）と、制御部２２を有する。
【００１３】
次に、本発明の実施形態に係るプリンタ設定値の一括設定方法の手順について、図２〜図７を参照して説明する。
図２は、本発明の実施形態に係るプリンタ設定値の設定方法を説明するためのシーケンス図である。図３は、ホストコンピュータの表示部に表示された設定ツールにおける設定値選択画面を示す図である。図４は、ホストコンピュータの表示部に表示された設定ツールにおけるプリンタ選択画面を示す図である。図５は、ホストコンピュータの表示部に表示された設定ツールにおけるプリンタ選択画面（プリンタ選択後の画面）を示す図である。図６は、ホストコンピュータの表示部に表示された設定ツールにおけるプリンタ選択画面（設定を行いたいプリンタを選択する画面）を示す図である。図７は、ホストコンピュータの表示部に表示された設定ツールにおける設定開始の実行確認画面を示す図である。
【００１４】
まず、説明に先立って、本発明の実施形態に係るプリンタ設定値の設定方法に適用可能な設定項目を挙げて説明する。例えば以下の（１）〜（２５）の設定項目が挙げられる。
（１）用紙位置検出設定（ギャップ検出、ＢＭ検出、検出なしなど）
用紙によって、検出設定は異なる。ギャップ検出はラベル用紙におけるラベル間のギャップの検出に関し、ＢＭ検出は台紙の裏に設定されたマーク印刷位置を示す黒いマークＢＭ（ブラックマーク）の検出に関するものである。また、「検出なし」は位置検出するための印等が無い用紙の場合であり、レシート用紙などの場合である。
（２）紙送り量調整（オートカット位置、印刷開始位置）
オートカット位置は、カッターが用紙のどの位置でカット（切断）を行うかの設定値である。印刷開始位置は、例えば、上記ギャップ検出後、ラベル用紙のどの位置から印刷を行うかの設定である。
（３）用紙頭出し動作設定（電源投入時、カバーオープン時の動作）
電源投入時や用紙交換時（カバーオープン時）などにおいて、用紙の頭出し動作を設定する。例えば、ラベル紙の先頭から開始する場合などはラベルの先頭とヘッドの位置を合わせる（頭出し動作）。あるいは、ロール紙の位置が変わった場合などに頭出し動作を設定する。
（４）通知設定（ブザー、ＬＥＤ通知、用紙違いエラー通知）
例えば、エラー発生時にブザーを鳴らす、インクが少なくなった（ニアエンド）時にＬＥＤを点滅させる、用紙が設定されたものと給紙部に入れられたものが違う場合にエラー通知するなど、の設定である。
（５）パネルボタンの有効／無効
プリンタのパネルに設けられたフィードボタン（紙送り）、カットボタン（用紙切断）などのパネルボタンの検出を有効にするか無効にするかの設定である。
（６）ドット抜け発生時の設定（ドット抜け発生時の動作モード、無効ロゴ登録）
ノズルの目詰まりなどのために印刷時のドット抜けが発生した場合に、クリーニングを行うなどの動作モードの設定と、印刷失敗した用紙に「無効」や「ＮＧ」などと印刷する無効ロゴ登録の設定である。
（７）頭出し位置、打ち出し位置
主に工場出荷時に設定する。
（８）ギャップ調整
主に工場出荷時に設定する。
（９）Ｉ／Ｆ設定
ＬＡＮやＵＳＢなど、外部との通信インタフェース（Ｉ／Ｆ）の切り替えである。
（１０）メンテナンスカウンタ
クリーニングや部品交換などのメンテナンス必要時期を知らせるため、印刷行数、インク吐出数、カット回数などをカウントするカウンタに関する設定である。リセットできない累積用のカウンタと、リセット可能なカウンタがある。
（１１）エラーパターン
エラー発生時の報知方法のパターンの設定であり、ＬＥＤ点滅の回数などを設定する。
（１２）ブザー回数
エラー発生時等、ブザーを鳴らす場合の回数を設定する。
（１３）再印字有効無効設定
ドット抜けが発生した用紙を破棄して、次ページに再印刷するか否かの設定である。
（１４）通信設定（通信条件）
（１５）用紙切り替え（連続紙／単票紙／ＦＦ紙など）
（１６）フォント（の選択）
（１７）ピッチ（紙送り）
（１８）ＥＥＰＲＯＭ
ディップスイッチとメモリスイッチのうち、どちらの設定を優先するかの設定。
（１９）累積印字行数のクリア
（２０）給紙位置調整
（２１）ティアオフ調整
手切りカッターにおいて、ユーザーが切りやすい位置に用紙を送る設定である。
（２２）紙厚調整
紙厚が変わった場合、用紙を押さえる力を変える。
（２３）エミュレーション選択
コマンド体系の異なる他機種のコマンドを実行するなどの設定である。
（２４）給紙方法選択
（２５）言語選択
【００１５】
上記の（１）〜（２５）は、機種毎に依存する設定項目である。上記（１５）、（１８）などはプリンタ本体側で設定するものであり、その設定をプリンタのメモリ内に記憶しておき、ホストコンピュータ１０に送信するようにする。なお、（１）〜（３）などはプリンタの印刷機構の制御に係る設定項目であり、（４）などはプリンタの状態に応じた通知に係る設定項目である。また、上記設定項目（１）〜（６）は、ホストコンピュータ１０のモニタディスプレイ等である表示部１１に表示された設定画面による設定ツール上で設定が可能であり、その画面を参照して設定できる。
【００１６】
本発明の実施形態では、上記設定項目のうち、任意の項目を設定可能であるが、以下の説明においては、設定ツール（プリンタの設定値の制御プログラム）を使用して、上記設定項目（１）〜（６）に関する設定方法として説明を続ける。
【００１７】
図２に示すように、ホストコンピュータ１０は、所定機種のプリンタの検索を行う（ステップＳ１０１）。このとき、ホストコンピュータ１０は、デバイスリクエストをＬＡＮなどのネットワークへ送信する（ステップＳ１０２）。
【００１８】
ネットワークに接続されたプリンタ２０（プリンタＡ、プリンタＢ、・・・・）は、自身のＩ／Ｆ部２１においてデバイスリクエストを受信し、これを受けて各プリンタの制御部２２は、当該プリンタ固有のデバイスＩＤを取得し、デバイスＩＤに基づいて機種名を返信する（ステップＳ１０３）。ホストコンピュータ１０は、受信したプリンタの機種名により各プリンタが所定の機種であるかを確認する（ステップＳ１０４）。なお、ここではプリンタＡとプリンタＢが上記所定機種であるとして検索されたとする。
【００１９】
次に、図４のプリンタ選択画面を表示して、ホストコンピュータ１０と通信可能なプリンタＡ、プリンタＢのうち、設定値のコピー元となるプリンタを選択する。ここでは、コピー元としてプリンタＡを選択する。選択後の画面は図５のようになり、反転表示となっているプリンタＡが選択されていることがわかる。
【００２０】
そして、ホストコンピュータ１０は、プリンタ設定情報取得コマンドをプリンタＡへ送信する（ステップＳ１０５）。プリンタＡは、プリンタ設定情報取得コマンドを受信する（ステップＳ１０６）と、設定されている各設定項目のプリンタ設定情報をホストコンピュータ１０に回答する（ステップＳ１０７）。ホストコンピュータ１０は、上記回答を受信して取得した設定値を確認後、文字列などに変換し、モニタディスプレイ等である表示部１１に表示されている設定ツールに表示する（ステップＳ１０８）。このとき取得された情報である表示部２２に表示された設定ツールの画面を図３（設定値選択画面）に示す。図３の設定値選択画面では、上記設定項目（１）〜（６）に関する設定値が選択可能なように表示されている。
【００２１】
上記ステップＳ１０８において、取得した各項目の設定値が設定可能範囲内にあった場合は、取得した設定値を対応する文字列に変換して表示する。一方、取得した設定値の項目の中に設定可能範囲外のものがあった場合は、該当する項目に「異常な値」である旨の表示をする（通信は成功しているのでエラーの表示にはしない）。あるいは、設定値を取得できない項目があった場合は、文字列等は表示せず空欄とする（この場合も通信は成功しているのでエラーの表示にはしない）。
【００２２】
次に、上記ステップＳ１０８において取得した各項目の設定値を確定する（ステップＳ１０９）。このとき表示されている設定値を保存する場合は、「設定値の保存」ボタンを押すことにより、各項目の設定値がホストコンピュータ１０の記憶領域に設定値ファイルとして保存される。この設定値ファイルには、任意のファイル名を付けて保存することができ、また、保存された日時情報等がファイルに付属情報として付加される。
【００２３】
なお、上記記憶領域には複数の設定値ファイルを保存することができる。このため、保存された複数の設定値ファイルはファイル名や日時情報等によって、管理することができる。記憶領域に保存された設定値ファイルは、図３の設定値選択画面を表示させて、「設定ファイルを開く」ボタンを押して、ファイルを指定することにより、再びファイルの内容（設定値）を読み出すことができる。
【００２４】
なお、上記「異常な値」や取得できていない項目の設定値を保存しようとした場合は、これを保存しないようにしてもよい。
【００２５】
次に、上記コピーした設定値に対し変更を行う場合は、設定値選択画面においてユーザーが設定値の変更を行う（ステップＳ１１０）。設定値選択画面（図３）を表示させて、この設定値選択画面（図３）の例では、設定値をプルダウンメニューで選択することにより、各項目の設定値を任意に変更することができる。
【００２６】
そして、このとき表示されている設定値を保存する場合は、上記ステップＳ１０９と同様に、「設定値の保存」ボタンを押すことにより、各項目の設定値がホストコンピュータ１０の記憶領域に設定値ファイルとして保存される。
【００２７】
次に、プリンタ選択画面において、図６に示すように、設定するプリンタを選択する（ステップＳ１１１）。ここでは、反転表示となっているプリンタＢが選択されている。プリンタＢの設定値は、後述の設定コマンドを送信することにより、図６の各項目の「ユーザー設定値」として表示されている設定値に設定されることになる。
【００２８】
「次へ」のボタンを押すことにより画面は、図７に示す設定開始の実行確認画面に切り替わる。図７において、「実行」ボタンを押すことにより、設定の対象であるプリンタＢへ各項目の設定値が以下の手順でコピーされる。
【００２９】
以下、設定の対象であるプリンタＢへの各項目の設定値をコピーする手順である。
図２において、設定対象のプリンタＢの状態を取得するため、ステータス文字列の回答コマンドを送信する（ステップＳ１１２）。プリンタＢは自身の状態を取得し（ステップＳ１１３）、ホストコンピュータ１０に対して返信する（ステップＳ１１４）。ホストコンピュータ１０は、プリンタの状態を受信した場合（ステップＳ１１５：ＹＥＳ）、設定対象のプリンタの状態に応じた処理を行う（ステップＳ１１７）。
【００３０】
上記ステップＳ１１７にて、プリンタの状態が印刷可能状態である場合は、プリンタＢへ設定コマンドを送信する（ステップＳ１２０）。一方、ウエイト／クリーニング状態である場合は、所定時間、状態が変わるまでステータス文字列の回答コマンドの送信を繰り返す。一方、上記所定時間を越えてもウエイト／クリーニング状態から変化しなければ（ステップＳ１１９：ＹＥＳ）、エラー終了とする（ステップＳ１１８）。なお、プリンタの状態の返信待ち時間がタイムアウトした場合（ステップＳ１１６：ＹＥＳ）、または、プリンタの状態が他の状態（印刷可能状態およびウエイト／クリーニング状態以外の状態）である場合も、エラー終了とする（ステップＳ１１８）。
【００３１】
上記ステップＳ１２０において送信される設定コマンドは、図６または図７に表示されている「ユーザー設定値」を設定の対象であるプリンタＢに送信し、設定を行うためのコマンドであり、前処理コマンド群、各項目の設定値を設定する設定コマンド群、後処理コマンド群から構成される。
【００３２】
前処理のコマンド群は、初期化コマンド送信、モード移行コマンドからなる。
設定コマンド群は、各項目の設定値をそれぞれ設定するコマンドからなり、
（１）用紙位置検出設定として用紙位置検出手段の設定を実行するコマンド。
（２）紙送り量調整として、オートカット位置の設定と、印刷開始位置の設定をするコマンド。
（３）用紙頭出し動作設定として、電源投入時の動作設定と、用紙カバークローズ時の用紙の頭出し動作の設定をするコマンド。
（４）通知設定として、エラー発生時のブザー通知設定と、インクが少なくなった（ニアエンド）時のＬＥＤの設定と、用紙が設定されたものと違う場合にエラー通知する設定と、などを設定するコマンド。
（５）パネルボタンの有効／無効として、
プリンタのパネルに設けられた、紙送り（フィード）ボタン、用紙を切断するカットボタンなどのパネルボタンを有効にするか無効にするか設定するコマンド。
（６）ドット抜け発生時の設定として、
ノズルの目詰まりなどのために印刷時のドット抜けが発生した場合に、クリーニングを行うなどの動作モードの設定と、印刷失敗した用紙に対する無効ロゴの印刷有無、無効ロゴ用の画像ファイルの指定コマンド。
なお、上記（１）〜（６）の設定コマンドはまとめて一括送信する。
後処理コマンド群は、リモートモード終了コマンド、初期化コマンド、モード移行コマンド、設定値ロードコマンド、リモートモード終了コマンドからなる。
【００３３】
次に、プリンタの設定コマンド送信の終了、プリンタＢに送信した設定コマンドの設定が反映されるまで待つ。すなわち、一定時間のウエイト処理を行う（ステップＳ１２１）。
【００３４】
そして、上記ウエイト処理の後、プリンタ設定情報取得コマンドをプリンタＢに送信する（ステップＳ１２２）。プリンタＢは、このプリンタ設定情報取得コマンドを受信する（ステップＳ１２３）と、プリンタＢに設定された各項目のプリンタ設定情報をホストコンピュータ１０に回答する（ステップＳ１２４）。ホストコンピュータ１０は、上記回答を受信した場合（ステップＳ１２５：ＹＥＳ）、このプリンタＢからの回答で取得したプリンタ設定情報と、送信した設定コマンドのプリンタ設定情報を比較し（ステップＳ１２６）、比較の結果両者が一致したら（ステップＳ１２６：ＹＥＳ）正常終了する（ステップＳ１２７）。一方、両者が一致しない場合はエラー終了とする（ステップＳ１２８）。
【００３５】
なお、所定時間を超えてもプリンタＢからの回答を受信できない場合（ステップＳ１２５：ＮＯ）など、通信不可の場合もエラー終了とする（ステップＳ１２８）。
【００３６】
以上、詳述した本発明の実施形態に係るプリンタ設定値の一括設定方法の手順によれば、プリンタＡの各項目の設定値を簡易な方法でプリンタＢへ一括して設定することができる。
【００３７】
また、ホストコンピュータ１０の記憶領域に保存された設定値ファイルは、任意のファイル名を付けて保存され、また、保存された日時情報がファイルに付属情報として付けられているので、設定値ファイルのファイル名や保存日時情報をもとに、使用する設定値ファイルを選んで、プリンタ設定値の一括設定を行うこともできる。
【００３８】
また、設定するプリンタを複数選択すれば、設定コマンドは選択された複数のプリンタへ送信することもできるので、図８に示すように、ネットワークで接続された複数のプリンタに対して、各種設定項目の設定値を一括設定することもできる。
【００３９】
また、図９に示すように、プリンタをグループ分けして、設定する対象の選択をグループ毎に設定できるようにすれば、設定コマンドは選択されたグループ（図９ではＡグループ）のプリンタへ送信することもできる。よって、グループ単位で各種設定項目の設定値を一括設定することもできる。
【００４０】
あるいは、ＵＳＢ等の通信線でローカル接続された場合など、図１０に示すように、プリンタが１台のみのシステムの場合においても、このプリンタの以前の設定値をホストコンピュータに設定値ファイルとして保存しておけば、同じプリンタにおいて、何らかの理由でユーザーによって変更された設定値を、ファイル名や保存された日時情報をもとに以前の設定の設定値ファイル選んで、以前の設定に戻すこともできる。したがって、新たなプリンタに置き換える時に、以前のプリンタと同じ設定にすることも容易にできる。あるいは、メンテナンスを行う際に、メンテナンス用の設定に変更された設定値を元に戻す作業も簡単になる。
【図面の簡単な説明】
【００４１】
【図１】本発明の実施形態に係るプリンタ設定値の一括設定方法を説明するためのシステムの構成を示す概略図である。
【図２】本発明の実施形態に係るプリンタ設定値の一括設定方法を説明するためのシーケンス図である。
【図３】図２のシーケンスにおけるホストコンピュータの表示部に表示された設定ツールの設定値選択画面を示す図である。
【図４】図２のシーケンスにおけるホストコンピュータの表示部に表示された設定ツールのプリンタ選択画面を示す図である。
【図５】図２のシーケンスにおけるホストコンピュータの表示部に表示された設定ツールのプリンタ選択画面（プリンタ選択後の画面）を示す図である。
【図６】図２のシーケンスにおけるホストコンピュータの表示部に表示された設定ツールのプリンタ選択画面（設定を行いたいプリンタを選択する画面）を示す図である。
【図７】図２のシーケンスにおけるホストコンピュータの表示部に表示された設定ツールの設定開始の実行確認画面を示す図である。
【図８】複数のプリンタに対して各種設定項目の設定ツールの設定値を一括設定する関係を示す図である。
【図９】プリンタをグループ分けして、設定する対象の選択をグループ毎に設定する関係を示す図である。
【図１０】ホストコンピュータとプリンタ１台のみの場合において、各種設定項目の設定ツールの設定値を一括設定する関係を示す図である。
【符号の説明】
【００４２】
１０…ホストコンピュータ、１１…表示部、２０…プリンタ（プリンタＡ、プリンタＢ）２１…Ｉ／Ｆ部、２２…制御部
【図１】
2010117843.tif 000003
【図２】
2010117843.tif 000004
【図３】
2010117843.tif 000005
【図４】
2010117843.tif 000006
【図５】
2010117843.tif 000007
【図６】
2010117843.tif 000008
【図７】
2010117843.tif 000009
【図８】
2010117843.tif 000010
【図９】
2010117843.tif 000011
【図１０】
2010117843.tif 000012